(57)【特許請求の範囲】
【請求項１】
各材料が調合されて生成される調合物において当該各材料の分量を明示する明示線を印字した調合ラベルを作成する印字装置であって、
予め複数の前記調合物の前記各材料を記憶するとともに、１単位分の前記調合物の前記各材料の分量である単位分量を記憶する記憶手段と、
前記調合物をユーザに入力させるとともに、総単位分の前記調合物の分量である総分量を求めるための総単位数を当該ユーザに入力させる調合物設定入力手段と、
容器の底面積を算出するための情報を前記ユーザに入力させて当該容器の容積を算出する容器容積算出手段と、
前記調合物設定入力手段により入力された前記調合物及び前記調合物の前記総単位数に基づいて前記調合物の前記各材料の分量を算出する各材料分量算出手段と、
前記容器の底面積と、前記調合物の前記総分量と、前記調合物の前記各材料の分量と、に基づいて、前記容器に前記各材料を注入させるための前記各明示線の印刷位置を算出する明示線印刷位置算出手段と、
前記明示線印刷位置算出手段で算出された位置に前記明示線を印字させるとともに、所定位置に前記調合物の名称及び前記調合物の前記各材料の名称を印字させる印字手段と、
を備える、
ことを特徴とする印字装置。
【請求項２】
前記印字手段は、前記各材料分量算出手段が算出した前記単位分量の倍数の数字や前記調合物の前記総分量を印字させることを特徴とする請求項１に記載の印字装置。
【請求項３】
前記印字手段は、前記各材料名の近傍に調合比率を印字させることを特徴とする請求項１に記載の印字装置。
【請求項４】
前記記憶手段は、フラッシュメモリであることを特徴とする請求項１乃至請求項３の何れかに記載の印字装置。
【請求項５】
予め複数の前記調合物の前記各材料及び前記調合物の前記各材料の前記単位分量を記憶するＳＤカードを含むメモリカードやＣＤ−ＲＯＭ、ＤＶＤ、或いは光磁気ディスクを含む記録媒体と、アクセス可能とするＩ／Ｏインターフェース部と、を備えることを特徴とする請求項１乃至請求項４の何れかに記載の印字装置。
【発明の詳細な説明】
【技術分野】
【０００１】
本発明は、調合物の材料と調合比率とを明示した調合ラベルを作成する印字装置に関する。
【背景技術】
【０００２】
テープ部材を収納したテープカセットを装置内にセットし、そのテープ部材の印字テープに対して、キーボード等の入力手段から入力された或いは他の機器から出力された文字等を任意に印字することで、固有のラベルを作成できる装置として印字装置がある。
【０００３】
このような印字装置で作成されたラベルの用途が拡大されてきている。例えば、料理の調合物における材料の調合比率等のレシピを印字したラベルを作成して台所や冷蔵庫等に貼っておき、料理時に参照する場合がある。
【０００４】
また、特許文献１には、目盛線及び目盛線に付随する目盛数字を併せて印刷して印字物を作成する印字装置が開示されている。この印字装置で作成された印字物は、地図に縮小倍率を表記したり、顕微鏡写真等に拡大倍率を表記したり、柱や壁に貼って身長測定に使用される。
【先行技術文献】
【特許文献】
【０００５】
【特許文献１】特開平６―１５５８６４号公報
【発明の概要】
【発明が解決しようとする課題】
【０００６】
しかしながら、上述の特許文献１の印字装置は、長さや寸法を測定するための目盛線を印刷した印字物を作成しているに過ぎなかった。
【０００７】
本発明は、上述したような従来技術の問題点に鑑みてなされたものであり、容器の底部を基準として容器の高さ方向に調合物の各材料名とその分量とを明示させる明示線を印刷して調合ラベルを作成する印字装置を提供することを目的とする。
【課題を解決するための手段】
【０００８】
前記目的を果たすため、本発明の印字装置の一態様は、各材料が調合されて生成される調合物において当該各材料の分量を明示する明示線を印字した調合ラベルを作成する印字装置であって、予め複数の前記調合物の前記各材料を記憶するとともに、１単位分の前記調合物の前記各材料の分量である単位分量を記憶する記憶手段と、前記調合物をユーザに入力させるとともに、総単位分の前記調合物の分量である総分量を求めるための総単位数を当該ユーザに入力させる調合物設定入力手段と、容器の底面積を算出するための情報を前記ユーザに入力させて当該容器の容積を算出する容器容積算出手段と、前記調合物設定入力手段により入力された前記調合物及び前記調合物の前記総単位数に基づいて前記調合物の前記各材料の分量を算出する各材料分量算出手段と、前記容器の底面積と、前記調合物の前記総分量と、前記調合物の前記各材料の分量と、に基づいて、前記容器に前記各材料を注入させるための前記各明示線の印刷位置を算出する明示線印刷位置算出手段と、前記明示線印刷位置算出手段で算出された位置に前記明示線を印字させるとともに、所定位置に前記調合物の名称及び前記調合物の前記各材料の名称を印字させる印字手段と、を備える、ことを特徴とする。
【発明の効果】
【０００９】
本発明によれば、容器の底部を基準として容器の高さ方向に調合物の各材料名とその分量とを明示させる明示線を印刷して調合ラベルを作成する印字装置を提供することができる。
【図面の簡単な説明】
【００１０】
【図１】本発明の実施形態に係るテープ印字装置の平面図である。
【図２】本発明の実施形態に係るテープ印字装置の内部拡大図及びテープカセットの斜視図である。
【図３】本発明の実施形態に係るテープ印字装置の機能ブロック図である。
【図４】本発明の実施形態に係るテープ印字装置の記憶手段に記憶される調合物の各材料と所定量調合物の各材料の分量との表である。
【図５】本発明の実施形態に係るテープ印字装置の記憶手段に記憶される調合物の各材料と各材料の調合比率との表である。
【図６】本発明の実施形態に係る調合物及び人数分を示す情報を設定するまでの流れを示すフローチャートである。
【図７】本発明の実施形態に係る各明示線の印刷位置を抽出するまでの流れを示すフローチャートである。
【図８】本発明の実施形態に係る調合物の材料と調合比率とを明示した明示線付き印字物を作成するまでの流れを示すフローチャートである。
【図９】本発明の実施形態に係るテープ印字装置の各設定画面に関する説明図である。
【図１０】本発明の実施形態に係るテープ印字装置による明示線付き印字物の作成例と容器に貼付した明示線付き印字物との説明図である。
【発明を実施するための形態】
【００１１】
以下、本発明の実施形態を図に基づいて詳説する。図１は、本発明の実施形態に係る印字装置であるテープ印字装置1の平面図であり、図２は、このテープ印字装置1に使用するテープカセット21の外観及びテープ印字装置1の内部構造の一部を示す斜視図である。テープ印字装置1は、表面に印刷面を備え裏面が粘着面とされた印刷テープ層と、粘着面に貼付される剥離テープ層と、が積層されて形成された印刷テープ31に文字や模様等を印刷する装置である。
【００１２】
このテープ印字装置1は、図１に示すように、筐体2の上面にキーボード入力部3、表示部4及びカセット収容部8を塞ぐ開閉蓋5が形成されている。また、図示しないが、筐体2には、パーソナルコンピュータ等の外部機器やＵＳＢメモリと接続するためのＵＳＢ端子等の入力端子、電源コードが接続される電源端子、ＳＤカード等の記憶媒体が挿入される挿入口等も形成されている。
【００１３】
キーボード入力部3は、文字データを入力する文字入力キー、印刷開始を指示する印刷キー、表示部4の表示画面上のカーソルを移動操作するカーソルキー、印刷モードの設定や各種設定処理を行なう種々の制御キー、によって構成されている。また、表示部4は、液晶表示装置等であり、入力されたデータに関する画像、各種の設定のための選択メニュー、各種の処理に関するメッセージ等が表示される。なお、テープ印字装置1に、入力部及び表示部4の両機能を備えたタッチパネルを配置することもできる。
【００１４】
そして、開閉蓋5の内側には、図２に示すように、印刷テープ31及びインクリボン35を収容したテープカセット21を装填するためのカセット収容部8が形成されている。また、カセット収容部8内には、テープ印刷機構45と、テープカセット21を所定の位置に支持するためのカセット受部15と、が形成されている。このテープ印刷機構45は、縦方向に配列された印刷素子と、印刷ヘッドとされるサーマルヘッド11と、サーマルヘッド11との間で印刷テープ31及びインクリボン35を挟み込んでこれを搬送するプラテンローラ12と、テープカセット21に係合して位置決めする位置合わせ軸20と、印刷に使用したインクリボン35をテープカセット21内に巻取るリボン巻取軸13と、を備える。
【００１５】
また、カセット収容部8の一端部に筐体2の外に通じるテープ繰出部7が形成されており、このテープ繰出部7には、印刷テープ31の印刷テープ層及び剥離テープ層を幅方向にカットするフルカット手段としてのフルカット機構17と、印刷テープ31の印刷テープ層のみをカットするハーフカット手段としてのハーフカット機構18と、が組み込まれている。
【００１６】
さらに、テープカセット21は、カセットケース22を備え、このカセットケース22の内部には、印刷テープ31が巻装されたテープコア23、未使用のインクリボン35が巻装されたリボン供給コア24、使用済みのインクリボン35を巻取るリボン巻取コア25が夫々収納されている。また、テープカセット21のカセットケース22には、カセット収容部8内にテープカセット21を装填した場合にサーマルヘッド11が位置するヘッド配置部27が形成されている。
【００１７】
また、カセットケース22の隅部には、カセット収容部8のカセット受部15と係合し、このカセット受部15によって支持される被係合部29が形成されている。また、このカセットケース22の被係合部29には、図示しないがテープカセット21の種類に応じたカセット識別情報としての所定の凹凸が形成されており、カセット収容部8のカセット受部15には、テープカセット21が装填された場合にカセットケース22の被係合部29に形成された凹凸を判別するカセット種別検出手段である所定のテープ種別検出スイッチ16が形成されている。
【００１８】
そして、テープ印字装置1は、カセットケース22がカセット収容部8に装填されると、カセットケース22の被係合部29とカセット収容部8のカセット受部15に形成されたテープ種別検出スイッチ16の幾つかと或いは全部とが係合し、係合したテープ種別検出スイッチ16が押下されて、このオン状態となったテープ種別検出スイッチ16の組み合わせによってテープカセット21のテープ幅等を判別できるようになっている。
【００１９】
このテープ印字装置1は、印刷の指示がされると、印刷テープ31及びインクリボン35がテープカセット21から繰り出され、プラテンローラ12とサーマルヘッド11との間にこれらの印刷テープ31及びインクリボン35が重ね合わされた状態で挟み込まれて搬送される。
【００２０】
そして、サーマルヘッド11が印刷データに基づいて発熱駆動され、インクリボン35のインクが印刷テープ31に熱転写されて印刷テープ31に印刷が行なわれ、印刷が終了すると設定によりフルカット機構17又はハーフカット機構18が作動して印刷テープ31が幅方向に切断され、１枚のテープ状の印字物が作成される。
【００２１】
次に、テープ印字装置1の回路構成について述べる。このテープ印字装置1は、図３に示すように、制御部40を備える。そして、この制御部40には、記憶手段としてのＲＯＭ41及びＲＡＭ42が接続されている。また、制御部40には、使用者のキー操作を受けて文字データ等を入力するキー入力手段としてのキーボード入力部3と、入力された情報などの種々の情報を表示する表示手段である表示部4と、が接続されている。
【００２２】
さらに、制御部40には、サーマルヘッド11を駆動する印刷手段駆動回路51と、搬送モータ46を駆動する搬送手段駆動回路52と、カッターモータ48a、48bを駆動する切断手段駆動回路53と、が接続されている。そして、制御部40には、パーソナルコンピュータ等の外部機器やＵＳＢメモリと接続するためのＵＳＢ端子等の入力端子やＳＤカード等の記録媒体とのインターフェース端子を有するＩ／０インターフェース部43が接続されている。
【００２３】
制御部40はＣＰＵであって、キーボード入力部3からのキー入力信号、又は、自動でＲＯＭ41に予め記憶されているシステムプログラム、メモリカードに記憶された制御プログラム、外部機器から読み込まれた制御プログラムなどを起動させ、ＲＡＭ42をワークメモリとして回路各部の動作を制御する。
【００２４】
ＲＯＭ41には、設定された文字列データ等を表示し印字するためのプログラムや印刷フォント、塗り潰しに使用される斜線や網目、ドット模様等が記憶され、制御部40で読み取り可能なプログラムが記憶された記録媒体としても機能する。
【００２５】
ＲＡＭ42には、入力された印刷情報が展開された印刷パターンデータが記憶される印字データメモリ領域や表示部4に表示させるパターンデータが記憶される表示データメモリ領域などが確保されており、印字処理などに必要なデータを一時的に記憶するレジスタやカウンタなども設けられている。
【００２６】
印刷手段駆動回路51は、印刷情報や書式設定の情報に従って印字手段であるサーマルヘッド11を制御し、印刷テープ31に印刷を実行させる。搬送手段駆動回路52は、搬送手段を駆動させる回路であって、プラテンローラ12やリボン巻取軸13を回転させるステッピングモータ等の搬送モータ46を制御し、所定の速度で長手方向に印刷テープ31を搬送する。切断手段駆動回路53は、フルカット手段及びハーフカット手段等の切断手段を制御する駆動回路であり、フルカット機構17で使用されるカッターモータ48aとしてのステッピングモータやハーフカット機構18で使用されるカッターモータ48bとしてのＤＣモータ等を制御する。
【００２７】
そして、テープ印字装置1は、制御部40が印刷手段駆動回路51、搬送手段駆動回路52及び切断手段駆動回路53等を制御することにより、文字列をテープ部材31に印字し、その印字部分を切断することでラベルを作成することができる。
【００２８】
また、本発明において制御部40は、表示部4を制御して調合ラベル作成モードに遷移させるメニューを表示させ、ユーザにより調合ラベル作成モードに選択されてモードに遷移すると、ユーザに調合物及び調合物の何人分等を示す総分量を設定させるメニューを表示部4に表示させる調合物設定入力手段として機能する。
【００２９】
また、制御部40は、表示部4を制御して明示線付き印字物を貼付する容器の容積を算出するためのメニューを表示させて、ユーザに容器の形状を示すパラメータを入力させて容器の容積を算出する容器容積算出手段として機能する。
【００３０】
さらに、制御部40は、調合物設定入力手段として設定入力した調合物及び調合物の総分量による調合物の各材料の分量を算出する各材料分量算出手段として機能する。
【００３１】
そして、制御部40は、各材料分量算出手段として、調合物の各材料の分量を算出し、容器に各材料を注入させるための各明示線の印刷位置を抽出する明示線印刷位置抽出手段として機能する。
【００３２】
そして、本発明においてＲＯＭ41は、予め複数の調合物の各材料と、単位分量として１人分の調合物の各材料の分量と、を記憶する記憶手段でもある。例えば、ＲＯＭ41には、料理の調合物として、図４の表に示すように料理として「うなぎ」、「天丼」、「かつ丼」及び「牛丼」等の丼たれや、「かけそば」、「冷やしそば」及び「ざるそば」等のそばつゆの１人分の調合物の各材料の単位分量が記憶されている。
【００３３】
１人分のうなぎの丼たれであれば、材料Ａとして「醤油４０ｃｃ」、材料Ｂとして「みりん１６ｃｃ」、材料Ｃとして「酒１２ｃｃ」の３種類の材料の単位分量が記憶されている。また、１人分のかけそばのそばつゆであれば、材料Ａとして「だし汁２２２ｃｃ」、材料Ｂとして「かえし２８ｃｃ」の２種類の材料の一人分の調合物の単位分量が記憶されている。そして、各材料の単位分量は、単位分量の多い順に材料ＡからＢ、Ｃ、Ｄの順で記憶されている。
【００３４】
また、ＲＯＭ41には、予め複数の調合物の各材料と単位分量として１人分の調合物の各材料の単位分量と併せて調合比率も記憶されている。例えば、ＲＯＭ41には、図５の表に示すようにうなぎの丼たれであれば、「醤油：みりん：酒＝１０：４：３」とする調合比率が記憶されている。
【００３５】
そして、サーマルヘッド11は、制御部40に制御されて、明示線印刷位置抽出手段で抽出された位置に明示線を印字させるとともに、所定位置に調合物名及び各材料名を印字させる。
【００３６】
なお、サーマルヘッド11は、制御部40に制御されて、各材料分量算出手段が算出した単位分量の倍数の数字や調合物が何人分かを示す総分量を印字物に印字するようにしても構わない。
【００３７】
また、印字手段であるサーマルヘッド11は、制御部40に制御されて、所定位置に各材料の調合比率を印字するようにしても構わない。
【００３８】
なお、予め複数の調合物の各材料と単位分量として１人分の調合物の各材料の単位分量や調合比率を記憶する記憶手段を、電気的にプログラム書き換え可能なフラッシュメモリ等のＲＯＭ41とすることにより、調合物のレパートリーが将来増えた場合に、ファームアップ等により調合物のレパートリーを追加、変更等のためのデータ更新を行って対応可能とすることができる。
【００３９】
また、上述したようなプログラムは、ＳＤカード等のメモリカードやＣＤ−ＲＯＭ、ＤＶＤ、或いは光磁気ディスク等の記録媒体に記録させて配布又は販売等を行っても良い。或いは、公衆網等で用いられる伝送媒体を介して、そのプログラムの一部、若しくは全部を配信するようにしても良い。そのようにした場合には、ユーザはプログラムを取得してテープ印字装置1のＩ／Ｏインターフェース部43を介してロードすることにより、そのテープ印字装置1に本発明を適用させることができる。したがって、記録媒体は、テープ印字装置1がアクセスできるものであれば良い。
【００４０】
ここで、本発明のテープ印字装置1において調合物の材料と調合比率とを明示した明示線付き印字物を作成する一連の流れについて図を用いて詳細に説明する。図６は、テープ印字装置1において調合物の材料と調合比率とを明示した明示線付き印字物を作成するにあたって、調合物及び総分量として人数分を示す情報を設定するまでの流れを示すフローチャートである。図７は、容器に注入する各材料の高さを算出して指定された容器に各材料を注入させるための各明示線の印刷位置を抽出するまでの流れを示すフローチャートである。図８は、調合物の各材料の総分量を算出し、容器に注入する各材料の高さを算出した上で、調合物の材料と調合比率とを明示した明示線付き印字物を作成するまでの流れを示すフローチャートである。また、図９は、テープ印字装置1において、ユーザ入力を行う各設定画面に関する説明図である。そして、図１０は、テープ印字装置1による明示線付き印字物の作成例と指定された容器に貼付した明示線付き印字物との説明図である。
【００４１】
ユーザによるラベル作成モード設定を指示する操作により、制御部40は、図９（ａ）に示す「通常印刷」又は「調合ラベル印刷」を選択可能なメニューを表示部4に表示させるラベル作成モード設定処理（ステップＳ１０）を実行する。そして、制御部40は、ユーザ操作により「調合ラベル印刷」が選択されると調合ラベル印刷モード処理（ステップＳ１５）を実行する。
【００４２】
調合ラベル印刷モード処理（ステップＳ１５）として、制御部40は、調合物設定入力手段として、ユーザに調合物を選択させるために、例えば、図９（ｂ）に示すように「丼たれ」の中で「１．うな丼」、「２．天丼」、「３．かつ丼」、「４．牛丼」を選択可能なメニューを表示部4に表示させる調合物選択画面表示処理（ステップＳ２０）を実行する。
【００４３】
そして、制御部40は、ユーザ操作により何れの調合物が選択されたかを判断する選択調合物判断処理（ステップＳ２５）を実行する。選択調合物判断処理（ステップＳ２５）において「１．うな丼」が選択されると、制御部40は、選択された「１．うな丼」の調合物のデータをＲＯＭ41から読み込みＲＡＭ42に展開する、うな丼調合物データ読込み処理（ステップＳ３０）を実行する。先述のとおりＲＯＭ41には、予め「１．うな丼」の丼たれ（調合物）のデータとして、材料Ａ「醤油４０ｃｃ」、材料Ｂ「みりん１６ｃｃ」、材料Ｃ「酒１２ｃｃ」の３種類の材料の単位分量が記憶されている。
【００４４】
また、選択調合物判断処理（ステップＳ２５）において「２．天丼」が選択されると、制御部40は、選択された「２．天丼」の調合物のデータをＲＯＭ41から読み込みＲＡＭ42に展開する、天丼調合物データ読込み処理（ステップＳ３５）を実行する。先述のとおりＲＯＭ41には、予め「２．天丼」の丼たれ（調合物）のデータとして、材料Ａ「みりん４５ｃｃ」、材料Ｂ「醤油１５ｃｃ」、材料Ｃ「だしの素３ｃｃ」の３種類の材料の単位分量が記憶されている。
【００４５】
そして、選択調合物判断処理（ステップＳ２５）において「３．かつ丼」が選択されると、制御部40は、選択された「３．かつ丼」の調合物のデータをＲＯＭ41から読み込みＲＡＭ42に展開する、かつ丼調合物データ読込み処理（ステップＳ４０）を実行する。先述のとおりＲＯＭ41には、予め「３．かつ丼」の丼たれ（調合物）のデータとして、材料Ａ「醤油３０ｃｃ」、材料Ｂ「みりん３０ｃｃ」、材料Ｃ「だし又は水１５ｃｃ」の３種類の材料の単位分量が記憶されている。
【００４６】
なお、テープ印字装置1は、ユーザ操作により何れの調合物が選択されたか判断するにあたって、「丼たれ」、「そばつゆ」、「調味料」、「ドレッシング」等の複数の種別の中から選択可能なようにメニューを有する。したがって、制御部40は、選択調合物判断処理（ステップＳ２５）において、上述の「１．うな丼」、「２．天丼」、「３．かつ丼」等に限定されず、その他の調合物が選択されれば、選択に応じた調合物のデータをＲＯＭ41から読み込む処理を実行する。
【００４７】
選択された調合物のデータを読み込むと、制御部40は、調合物設定入力手段として、ユーザに調合物の総分量を入力させるために、例えば、図９（ｃ）に示すような「分量設定何人分？」と総分量を示す人数分を入力させるメニューを表示部4に表示させるセット数入力画面表示処理（ステップＳ４５）を実行する。
【００４８】
そして、制御部40は、ユーザ操作により人数分が入力されると、各材料分量算出手段として、調合物の各材料の分量を算出する材料分量算出処理（ステップＳ５０）を実行する。
【００４９】
例えば、ユーザ操作により「うな丼の丼たれ」５人分と設定されると、制御部40は、材料Ａ「醤油４０ｃｃ×５人分＝２００ｃｃ」、材料Ｂ「みりん１６ｃｃ×５人分＝８０ｃｃ」、材料Ｃ「酒１２ｃｃ×５人分＝６０ｃｃ」のように調合物の各材料の分量を算出する。
【００５０】
調合物の各材料の分量を算出すると、図７に示すフローチャートのＡに進む。制御部40は、ユーザに調合物を注入する容器の形状種別を選択させるように図９（ｄ）に示すような「容器設定メニュー」を表示させる容器選択画面表示処理（ステップＳ５５）を実行する。
【００５１】
制御部40は、ユーザ操作により何れの容器形状が選択されたかを判断する容器形状判断処理（ステップＳ６０）を実行する。容器形状判断処理（ステップＳ６０）において「コップ（円柱形状）」が選択されると、制御部40は、選択された「コップ（円柱形状）」の容積を算出するために、容器容積算出手段として、ユーザに容器底部の内径（直径）を入力させるための図９（ｄ）に示したメニューの「内径？」部分をハイライト表示させる画面表示処理（ステップＳ６３）を実行する。
【００５２】
また、容器形状判断処理（ステップＳ６０）において「コップ（正四角柱形状）」が選択されると、制御部40は、選択された「コップ（正四角柱形状）」の容積を算出するために、容器容積算出手段として、ユーザに容器底部の一辺の長さを入力させるための「一辺の長さ？」等のメニューを表示させる画面表示処理（ステップＳ６５）を実行する。
【００５３】
さらに、容器形状判断処理（ステップＳ６０）において「その他形状選択」が選択されると、制御部40は、「コップ（円錐、四角錐等）」を選択可能な入力画面を表示させる特殊容器形状選択処理（ステップＳ６７）を実行する。そして、選択された形状に基づいて、容器の容積を算出するための形状を示すパラメータを入力させるための画面表示処理（ステップＳ６９）を実行する。
【００５４】
なお、容器の形状は円柱、正四角柱、円錐及び四角錐形状に限定されることなく、例えば、直線的な傾斜により上部が底部に比べて面積の大きい容器などでも構わず、この場合には、上部の面積及び底部の面積を算出可能なパラメータと高さとを入力するメニューにより容器の容積を算出するようにすればよい。
【００５５】
そして、制御部40は、既に算出された調合物の各材料の分量と容器の容積とから、明示線印刷位置抽出手段として容器底部から各材料を注入させるための各明示線の印刷位置を抽出する。制御部40は、先ず材料Ａの指定容器におけるラベル長さを抽出する材料Ａ長さ抽出処理（ステップＳ７２）を実行する。
【００５６】
例えば、うな丼の丼たれ５人分の場合であれば、制御部40は、先述のとおり材料Ａ「醤油４０ｃｃ×５人分＝２００ｃｃ」、材料Ｂ「みりん１６ｃｃ×５人分＝８０ｃｃ」、材料Ｃ「酒１２ｃｃ×５人分＝６０ｃｃ」のように調合物の各材料の分量を算出する。そして、制御部40は指定された容器が図１０（ｂ）に示すような円柱形状で内径６ｃｍであれば、底部の面積は約２８平方ｃｍと算出する。
【００５７】
したがって、この場合、材料Ａの醤油は、分量が２００ｃｃであるから、この容器に注入される高さが２００／２８≒７．１（ｃｍ）である。
【００５８】
このようにして、材料Ａの指定容器におけるラベル長さを抽出すると、制御部40は、次に材料Ｂの指定容器におけるラベル長さを抽出する材料Ｂ長さ抽出処理（ステップＳ７５）を実行する。材料Ｂのみりんは、分量が８０ｃｃであるから、この容器に注入される高さが８０／２８≒２．８（ｃｍ）である。
【００５９】
制御部40は、材料Ｂ長さ抽出処理（ステップＳ７５）が完了すると、指定された調合物における使用材料が材料Ａ、材料Ｂ以外にあるか否かを判断する材料確認判断（ステップＳ７７）を実行する。
【００６０】
制御部40は、ＲＡＭ42に展開した「１．うな丼」の丼たれ（調合物）のデータの材料Ａ「醤油４０ｃｃ」、材料Ｂ「みりん１６ｃｃ」、材料Ｃ「酒１２ｃｃ」の３種類の材料のデータから「１．うな丼」の丼たれにはいくつの種類の材料を有するかを判断することができる。
【００６１】
制御部40は、材料確認判断（ステップＳ７７）において、材料Ｃがあると判断すると、材料Ｃの指定容器におけるラベル長さを抽出する長さ抽出処理（ステップＳ７９）を実行する。材料Ｃの酒は、分量が６０ｃｃであるから、この容器に注入される高さが６０／２８≒２．１（ｃｍ）である。
【００６２】
長さ抽出処理（ステップＳ７９）を完了すると、使用材料が他にあるか否かを確認する材料確認判断（ステップＳ７７）を行う。材料確認判断（ステップＳ７７）において、他に使用材料がないと判断すると、図８に示すフローチャートのＢに進む。
【００６３】
制御部40は、ユーザにより調合ラベルの印刷開始を示す印刷キーが押下されたか否かを判定する印刷開始判定処理（ステップＳ８０）を実行する。印刷開始判定処理（ステップＳ８０）は、印刷キーが押下されるまでの待機処理である。
【００６４】
印刷開始判定処理（ステップＳ８０）において、印刷キーが押下されたと判断すると、制御部40は、所定位置にタイトルを印字するために印刷テープ31を所定量送るヘッダ処理（ステップＳ８２）を実行する。
【００６５】
次に、制御部40は、作成するラベルのタイトルとして例えば、「うな丼の丼たれ」又は「たれ」等を印字するタイトル印字処理（ステップＳ８４）を実行する。
【００６６】
そして、制御部40はタイトルの次に、材料Ａの上限線の明示線として両端矢印線を印刷する材料Ａ上限線印刷処理（ステップＳ８６）を実行するとともに、材料Ａの上限線印刷位置を基点とする材料Ａテープ送り管理処理を開始する。この材料Ａテープ送り管理処理は、先述のとおり材料Ａの醤油を容器に注入する高さを７．１（ｃｍ）とするために、テープ送りを管理する処理である。
【００６７】
制御部40は、材料Ａ上限線印刷処理（ステップＳ８６）を完了すると、材料Ａテープ送り管理処理を行いながらテープ送りを実行し、所定量テープを送ると材料Ａの材料名である「醤油」を印刷する材料名印刷処理（ステップＳ８８）を実行する。
【００６８】
制御部40は、材料名印刷処理（ステップＳ８８）が完了し、材料Ａテープ送り管理処理によるテープ送り量が、材料Ａの醤油を容器に注入するための高さ７．１（ｃｍ）に達すると、その達した位置を材料Ｂの上限線として両端矢印線を印刷する材料Ｂ上限線印刷処理（ステップＳ９０）を実行するとともに、材料Ｂの上限線印刷位置を基点とする材料Ｂテープ送り管理処理を開始する。
【００６９】
制御部40は、材料Ｂ上限線印刷処理（ステップＳ９０）を完了すると、材料Ｂテープ送り管理処理を行いながらテープ送りを実行し、所定量テープを送ると材料Ｂの材料名である「みりん」を印刷する材料名印刷処理（ステップＳ９２）を実行する。
【００７０】
制御部40は、材料名印刷処理（ステップＳ９２）が完了すると、図７に示す材料確認判断（ステップＳ７７）と同様に、指定された調合物における使用材料が材料Ａ、材料Ｂ以外にあるか否かを確認する材料確認判断（ステップＳ９４）を実行する。
【００７１】
制御部40は、ＲＡＭ42に展開された「１．うな丼」の丼たれ（調合物）のデータから何れの材料を有するかを判断する。
【００７２】
したがって、制御部40は、材料確認判断（ステップＳ９４）により、材料Ｃ「酒１２ｃｃ」を検出すると、材料Ｂテープ送り管理処理を行いながらテープ送りを実行する。制御部40は、材料Ｂテープ送り管理処理によるテープ送り量が、材料Ｂのみりんを容器に注入するための高さ２．８（ｃｍ）に達すると、その達した位置を材料Ｃの上限線として両端矢印線を印刷する材料Ｃ上限線印刷処理（ステップＳ９７）を実行するとともに、材料Ｃの上限線印刷位置を基点とする材料Ｃテープ送り管理処理を開始する。
【００７３】
また、制御部40は、材料確認判断（ステップＳ９４）により、使用する材料がないと判断すれば、最終テープ送り完了処理（ステップＳ９５）を実行する。
【００７４】
制御部40は、材料Ｃ上限線印刷処理（ステップＳ９７）を完了すると、材料Ｃテープ送り管理処理を行いながらテープ送りを実行し、所定量テープを送ると材料Ｃの材料名である「酒」を印刷する材料名印刷処理（ステップＳ９９）を実行する。材料名印刷処理（ステップＳ９９）が完了すると、材料確認判断（ステップＳ９４）に戻って、制御部40は、指定された調合物における使用材料がその他にあるか否かを判断する。
【００７５】
制御部40は、材料確認判断（ステップＳ９４）により、材料Ａ、材料Ｂ、材料Ｃと印字し、その他に使用する材料がないと判断すれば、最終テープ送り完了処理（ステップＳ９５）を実行する。
【００７６】
制御部40は、事前の材料Ｃテープ送り管理処理によるテープ送りを実行し、テープ送り量が、材料Ｃの酒を容器に注入するための高さ２．１（ｃｍ）に達すると、その達した位置を印刷テープ31のカット位置とする最終テープ送り完了処理（ステップＳ９５）を実行し、図１０（ａ）に示すようなうな丼の丼たれ用の調合ラベルを作成し、処理を終了する。
【００７７】
作成した調合ラベルは、指定した容器の内部底部から上方に向けて垂直に貼付させることにより、ユーザは、図１０（ｂ）に示したようにうな丼の丼たれを調合するときに明示線に合せて、酒、みりん、醤油のように分量の少ない順に注入して調合すれば適正な丼たれを作ることができる。
【００７８】
なお、調合ラベルには、所定位置に各材料名を印字させるとともに、調合物の総分量、各材料の単位分量の倍数の数値、又は調合比率等を印字させるようにしても構わず、上述の調合物名印刷処理や材料名印刷処理の中で総分量、各材料の単位分量の倍数の数値又は調合比率等を印字させればよい。
【００７９】
そして、調合ラベルは、料理用途として、丼つゆやそばつゆだけでなく、ドレッシングや調味料用に作成することができる。
【００８０】
さらに、調合ラベルは、料理用途に限定されず、例えば、園芸用途として鉢植えを容器とする土、肥料等の配合や、建築用途としてドラム缶を容器とするペンキ、セメント等の配合にも応用可能である。さらに、調合ラベルは、利用範囲として、薬品、塗料等の配合にも応用可能である。即ち、液体や粉体などの素材、基材料から、目的の混合物や調合物を得るための案内用テープを作成する調合ラベルの作成に対応可能である。
【００８１】
以上のように、本発明の実施形態によれば、容器の底部を基準として容器の高さ方向に調合物の各材料名とその分量を明示させる明示線とを印刷して調合ラベルを作成する印字装置を提供することができる。
【００８２】
また、本発明の実施形態によれば、印字手段が各材料分量算出手段の算出した単位分量の倍数の数字や前記調合物の前記総分量を印字するようにすれば、調合物の各材料の必要数を明確にすることができる。
【００８３】
さらに、本発明の実施形態によれば、印字手段が所定位置に各材料の調合比率を印字するようにすれば、調合物の各材料の調合比率を明確にすることができる。
【００８４】
そして、本発明の実施形態によれば、記憶手段を電気的に書き換え可能なＲＯＭ41とすることにより、調合物のレパートリーが将来的に増えた場合に、ファームアップ等により調合物のレパートリー追加、変更等のためのデータ更新を行って対応可能とすることができる。
【００８５】
さらに、本発明の実施形態によれば、上述したようなプログラムは、ＳＤカード等のメモリカードやＣＤ−ＲＯＭ、ＤＶＤ、或いは光磁気ディスク等の記録媒体に記録させて配布したり、或いは、公衆網等で用いられる伝送媒体を介して、そのプログラムの一部、若しくは全部を配信するようにしても良く、これにより、レパートリーとして追加された調合物のラベルを簡単に作成することができる。
【００８６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲とに含まれる。
【００８７】
以下に、本願出願の最初の特許請求の範囲に記載された発明を付記する。
[１]各材料が調合されて生成される調合物において各材料の分量を明示する明示線を印字した調合ラベルを作成する印字装置であって、
予め複数の前記調合物の各材料と調合物の各材料の単位分量のデータを記憶する記憶手段と、
前記調合物及び該調合物の総分量を設定入力する調合物設定入力手段と、
容器の容積を算出する容器容積算出手段と、
前記調合物設定入力手段により設定入力された前記調合物及び前記調合物の総分量による前記調合物の前記各材料の分量を算出する各材料分量算出手段と、
前記容器に前記各材料を注入させるための各明示線の印刷位置を算出する明示線印刷位置算出手段と、
前記明示線印刷位置算出手段で算出された位置に前記明示線を印字させるとともに、所定位置に前記調合物名及び該調合物の各材料名を印字させる印字手段と、
を備えることを特徴とする印字装置。
[２]前記印字手段は、前記各材料分量算出手段が算出した単位分量の倍数の数字や前記調合物の前記総分量を印字させることを特徴とする請求項１に記載の印字装置。
[３]前記印字手段が、各材料名の近傍に調合比率を印字させることを特徴とする請求項１に記載の印字装置。
[４]前記記憶手段が、フラッシュメモリであることを特徴とする請求項１乃至請求項３の何れかに記載の印字装置。
[５]予め複数の前記調合物の各材料と調合物の各材料の単位分量のデータを記憶するＳＤカード等のメモリカードやＣＤ−ＲＯＭ、ＤＶＤ、或いは光磁気ディスク等の記録媒体とアクセス可能とするＩ／Ｏインターフェース部を備えることを特徴とする請求項１乃至請求項４の何れかに記載の印字装置。
【符号の説明】
【００８８】
1  テープ印字装置                         2  筐体
3  キーボード入力部                       4  表示部
5  開閉蓋                                 7  テープ繰出部
8  カセット収容部                        11  サーマルヘッド
12  プラテンローラ                       13  リボン巻取軸
15  カセット受部                         16  テープ種別検出スイッチ
17  フルカット機構                       18  ハーフカット機構
20  位置合わせ軸
21  テープカセット                       22  カセットケース
23  テープコア                           24  リボン供給コア
25  リボン巻取コア                       27  ヘッド配置部
29  被係合部                             31  印刷テープ
35  インクリボン                         40  制御部
41  ＲＯＭ                               42  ＲＡＭ
43  Ｉ／Ｏインターフェース部             45  テープ印字機構
46  搬送モータ                           48a、48b  カッターモータ
51  印刷手段駆動回路                     52  搬送手段駆動回路
53  切断手段駆動回路
【図１】
0005773182.tif 000002
【図２】
0005773182.tif 000003
【図３】
0005773182.tif 000004
【図４】
0005773182.tif 000005
【図５】
0005773182.tif 000006
【図６】
0005773182.tif 000007
【図７】
0005773182.tif 000008
【図８】
0005773182.tif 000009
【図９】
0005773182.tif 000010
【図１０】
0005773182.tif 000011